(57)【特許請求の範囲】
【請求項１】
内刃（６）および外刃（７）を備えたせん断刃ユニット（８）が、本体ケース（１）の上部に設けたユニット支持体（９）で傾動可能に支持されており、
本体ケース（１）とせん断刃ユニット（８）との間に、せん断刃ユニット（８）を傾動不能にロックするロック構造と、せん断刃ユニット（８）が傾動するときの傾動反力を調整する反力調整構造が設けられており、
反力調整構造は、本体ケース（１）とせん断刃ユニット（８）のいずれか一方に設けられる切換え調整体（４１）と、他方に設けられる反力調整体（４２）と、切換え調整体（４１）を切換え操作する操作具（４３）を備えており、
切換え調整体（４１）を操作具（４３）で切換え操作した状態において、両調整体（４１・４２）が互いに係合ないし摩擦接合して傾動反力を発生しており、
せん断刃ユニット（８）をロック構造でロック保持した状態において、切換え調整体（４１）と反力調整体（４２）が係合ないし摩擦接合して、せん断刃ユニット（８）をロック構造と協同して位置保持しており、
反力調整体（４２）の中心軸線（Ｐ２）が、切換え調整体（４１）の中心軸線（Ｐ１）および切換え調整体（４１）のスライド移動ライン（Ｌ１）に対して前後にずらしてあり、
ロック構造が、可動ロック体（２７）と、切換え調整体（４１）の中心軸線（Ｐ１）上に設けられる固定ロック体（２８）と、可動ロック体（２７）をロック状態とアンロック状態に切換える操作具（２９）を備えており、
切換え調整体（４１）と反力調整体（４２）が係合ないし摩擦接合して傾動反力を発揮している反力付与状態において、可動ロック体（２７）が固定ロック体（２８）と傾動反力に抗しながら係合して、せん断刃ユニット（８）を切換え調整体（４１）の中心軸線（Ｐ１）の側へ傾動させて前後傾動不能にロックしていることを特徴とする電気かみそり。
【請求項２】
内刃（６）および外刃（７）を備えたせん断刃ユニット（８）が、本体ケース（１）の上部に設けたユニット支持体（９）で傾動可能に支持されており、
本体ケース（１）とせん断刃ユニット（８）との間に、せん断刃ユニット（８）を傾動不能にロックするロック構造と、せん断刃ユニット（８）が傾動するときの傾動反力を調整する反力調整構造が設けられており、
反力調整構造は、本体ケース（１）に設けられる切換え調整体（４１）と、せん断刃ユニット（８）に設けられる反力調整体（４２）と、切換え調整体（４１）を切換え操作する操作具（４３）を備えており、
切換え調整体（４１）を操作具（４３）で切換え操作した状態において、両調整体（４１・４２）が互いに係合ないし摩擦接合して傾動反力を発生しており、
せん断刃ユニット（８）をロック構造でロック保持した状態において、切換え調整体（４１）と反力調整体（４２）が係合ないし摩擦接合して、せん断刃ユニット（８）をロック構造と協同して位置保持しており、
ロック構造が、切換え調整体（４１）を兼ねて本体ケース（１）に設けた可動ロック体（２７）と、せん断刃ユニット（８）に設けた固定ロック体（２８）と、可動ロック体（２７）を上下に切換え操作する操作具（２９）を備えており、
反力調整構造が、本体ケース（１）に設けられて上下に切換え操作される切換え調整体（４１）と、せん断刃ユニット（８）で前後スライド自在に案内支持した反力調整体（４２）とを備えており、
可動ロック体（２７）および切換え調整体（４１）は操作具（２９・４３）でスライド操作されて、切換え調整体（４１）が反力調整体（４２）と係合する反力付与状態と、可動ロック体（２７）が固定ロック体（２８）と係合するロック状態に切換え可能であることを特徴とする電気かみそり。
【請求項３】
ロック構造が、棒状の可動ロック体（２７）と、可動ロック体（２７）の上端と係脱する凹部からなる固定ロック体（２８）と、可動ロック体（２７）をスライド操作する操作具（２９）を備えており、
反力調整構造の反力調整体（４２）は、それぞれせん断刃ユニット（８）で前後スライド自在に案内支持した下側の前段スライダー（４４）と上側の後段スライダー（４５）で構成されて、両スライダー（４４・４５）のそれぞれが復帰ばね（４６・４７）で中立位置へ向かって移動付勢されており、
前段スライダー（４４）と後段スライダー（４５）には、切換え調整体（４１）と係合する連結穴（５３・５４）が上下貫通状に形成されており、
切換え調整体（４１）は、切換え調整体（４１）が前段スライダー（４４）の連結穴（５３）と係合する低反力状態と、切換え調整体（４１）が前段スライダー（４４）および後段スライダー（４５）の両連結穴（５３・５４）と係合する高反力状態とに切換え可能であり、
ロック状態において可動ロック体（２７）が固定ロック体（２８）と係合している請求項２に記載の電気かみそり。
【発明の詳細な説明】
【技術分野】
【０００１】
本発明は、傾動可能なせん断刃ユニットを備えている電気かみそりに関し、なかでも、せん断刃ユニットが傾動するときの傾動反力を複数段に切換えることができる反力調整構造と、せん断刃ユニットの前後傾動を阻止するロック構造を備えている電気かみそりに関する。
【背景技術】
【０００２】
この種の電気かみそりに関して、本出願人は首振りロック機構を備えた電気かみそりを先に提案している（特許文献１）。そこでは、動力モジュールと、動力モジュールのヘッドフレームで前後傾動可能に支持したせん断刃ユニットとでかみそりヘッドを構成し、せん断刃ユニットとヘッドフレームとの間に首振りロック機構を設けている。首振りロック機構は、せん断刃ユニットに組付けられるロックノブと、同ノブに同行して上下スライドするロックピースと、ヘッドフレームに設けたロック係合溝とからなり、ロックピースがロック係合溝と係合することで、せん断刃ユニットの前後傾動を阻止する。
【０００３】
本発明に係る電気かみそりにおいては、前後および／または左右傾動可能に支持したせん断刃ユニットの傾動反力を反力調整構造で調整するが、この種の調整構造を備えた電気かみそりは特許文献２に見ることができる。ただし、特許文献２における調整構造は、上下動および左右傾動可能にフロート支持した刃ヘッド部のフロート特性（フロート量とフロート力）を調整対象としている。そこでは、本体グリップ部と刃ヘッド部との間にＵ字状の板ばねを配置し、板ばねの下面に配置したレバー軸をスイッチ（レバー）で回動操作して、レバー軸に設けた突出部と板ばねの接当位置を変化させることによりフロート特性を変更している。なお、本体グリップ部と刃ヘッド部との間には、先の板ばねとは別に圧縮コイル型のフロートばねが設けてある。
【０００４】
本体グリップ部の側面に配置したスイッチは、ソフトフロート状態とハードフロート状態とフロートロック状態とに切換え操作でき、ソフトフロート状態においては、刃ヘッド部がフロートばねの付勢力に抗して所定量だけ押下げられたとき、突出部が板ばねに接当して、フロートばねと板ばねの合計の付勢力で刃ヘッド部を押上げ付勢する。また、ハードフロート状態においては、刃ヘッド部が押下げられる前の自由状態において、突出部が板ばねの遊端に接当して、刃ヘッド部が押下げられるのと同時に、フロートばねと板ばねの合計の付勢力で刃ヘッド部を押上げ付勢する。フロートロック状態においては、ロック用の突出部が刃ヘッド部の下面に接当して、刃ヘッド部の押下げを阻止する。
【先行技術文献】
【特許文献】
【０００５】
【特許文献１】特開２００４−２４２７６９号公報（段落番号００４０、図１）
【特許文献２】特許第３９３７９４１号公報（請求項１、図９〜図１２）
【発明の概要】
【発明が解決しようとする課題】
【０００６】
特許文献１の電気かみそりによれば、ロックノブを上下スライドすることにより、せん断刃ユニットの前後傾動をロックし、あるいはアンロックできる。また、アンロック状態において、親指と人差し指でせん断刃ユニットの両側面を保持することにより、せん断刃ユニットの傾動力を、ユーザー自身で加減することができる。しかし、ユーザー自身で傾動力を加減する場合には、せん断刃ユニットの両側面を親指と人差し指で保持し続ける必要があるので煩わしく、ひげの切断部位によっては、せん断刃ユニットを保持するのが難しい。
【０００７】
その点、特許文献２の電気かみそりによれば、スイッチを切換えるだけで、刃ヘッド部のフロート特性をソフトフロート状態とハードフロート状態に切換え、さらに刃ヘッド部をフロートロック状態に切換えることができる。しかし、レバー軸に板ばね用の突出部とロック用の突出部を一対ずつ設け、さらに板ばねとは別に圧縮コイル型のフロートばねを設ける必要があるので、フロート特性を変更するための調整構造が複雑化しコストが嵩むのを避けられない。また、フロートロック状態においては、刃ヘッド部の下面をロック用の突出部で受止めているだけであるため、安定した状態でフロートロック状態を維持できない。例えば、前後方向あるいは左右方向の外力が刃ヘッド部に作用するとき、刃ヘッド部が傾動しやすい。
【０００８】
本発明の目的は、前後および／または左右傾動可能なせん断刃ユニットの傾動反力を調整する反力調整構造を備えていて、同構造を切換え操作することにより、ユーザーの好みで傾動反力を調整してせん断刃ユニットの剃り心地を変更できる、使い勝手に優れた電気かみそりを提供することにある。
本発明の目的は、せん断刃ユニットを傾動不能にロックするロック構造と反力調整構造を備えていて、せん断刃ユニットをロック構造でロック保持した状態においてロック状態を安定保持でき、しかも反力調整構造の構造を簡素化してコストを削減できる電気かみそりを提供することにある。
【課題を解決するための手段】
【０００９】
本発明に係る電気かみそりは、内刃６および外刃７を備えたせん断刃ユニット８が、本体ケース１の上部に設けたユニット支持体９で傾動可能に支持してある。本体ケース１とせん断刃ユニット８との間に、せん断刃ユニット８を傾動不能にロックするロック構造と、せん断刃ユニット８が傾動するときの傾動反力を調整する反力調整構造を設ける。図１に示すように、反力調整構造は、本体ケース１とせん断刃ユニット８のいずれか一方に設けられる切換え調整体４１と、他方に設けられる反力調整体４２と、切換え調整体４１を切換え操作する操作具４３を備えている。切換え調整体４１を操作具４３で切換え操作した状態において、両調整体４１・４２が互いに係合ないし摩擦接合して傾動反力を発生する。せん断刃ユニット８をロック構造でロック保持した状態において、切換え調整体４１と反力調整体４２が係合ないし摩擦接合して、せん断刃ユニット８をロック構造と協同して位置保持している。
【００１０】
図５および図１３に示すように、反力調整体４２の中心軸線Ｐ２は、切換え調整体４１の中心軸線Ｐ１および切換え調整体４１のスライド移動ラインＬ１に対して前後にずらしてある。
【００１１】
ロック構造は、図５に示すように、可動ロック体２７と、切換え調整体４１の中心軸線Ｐ１上に設けられる固定ロック体２８と、可動ロック体２７をロック状態とアンロック状態に切換える操作具２９を備えている。切換え調整体４１と反力調整体４２が係合ないし摩擦接合して傾動反力を発揮している反力付与状態において、可動ロック体２７が固定ロック体２８と傾動反力に抗しながら係合して、せん断刃ユニット８を切換え調整体４１の中心軸線Ｐ１の側へ傾動させて前後傾動不能にロックする。
【００１２】
ロック構造は、切換え調整体４１を兼ねて本体ケース１に設けた可動ロック体２７と、せん断刃ユニット８に設けた固定ロック体２８と、可動ロック体２７を上下に切換え操作する操作具２９を備えている。反力調整構造が、本体ケース１に設けられて上下に切換え操作される切換え調整体４１と、せん断刃ユニット８で前後スライド自在に案内支持した反力調整体４２と、反力調整体４２を中立位置へ向かって移動付勢する復帰ばね４６・４７を備えている。可動ロック体２７および切換え調整体４１は操作具２９・４３でスライド操作されて、切換え調整体４１が反力調整体４２と係合する反力付与状態と、可動ロック体２７が固定ロック体２８と係合するロック状態に切換え可能である。
【００１３】
ロック構造は、図１に示すように、棒状の可動ロック体２７と、可動ロック体２７の上端と係脱する凹部からなる固定ロック体２８と、可動ロック体２７をスライド操作する操作具２９を備えている。反力調整構造の反力調整体４２は、それぞれせん断刃ユニット８で前後スライド自在に案内支持した下側の前段スライダー４４と上側の後段スライダー４５で構成されて、両スライダー４４・４５のそれぞれが復帰ばね４６・４７で中立位置へ向かって移動付勢してある。前段スライダー４４と後段スライダー４５には、切換え調整体４１と係合する連結穴５３・５４が上下貫通状に形成してある。切換え調整体４１は、切換え調整体４１が前段スライダー４４の連結穴５３と係合する低反力状態と、切換え調整体４１が前段スライダー４４および後段スライダー４５の両連結穴５３・５４と係合する高反力状態とに切換え可能である。ロック状態において、可動ロック体２７が固定ロック体２８と係合している。
【００１４】
ロック構造は図８に示すように、本体ケース１で上下スライド自在に支持した可動ロック体２７と、せん断刃ユニット８に設けた固定ロック体２８と、可動ロック体２７をスライド操作する操作具２９を備えている。反力調整構造は、可動ロック体２７に同行して上下スライドする切換え調整体４１と、せん断刃ユニット８に設けた反力調整体４２を備えている。切換え調整体４１には、反力調整体４２と摩擦接合して傾動反力を発生する弾性アーム７３を設ける。可動ロック体２７および切換え調整体４１は操作具２９・４３でスライド操作されて、切換え調整体４１が反力調整体４２と摩擦接合する反力付与状態と、可動ロック体２７が固定ロック体２８と係合するロック状態に切換え可能である。反力付与状態においては、前後傾動するせん断刃ユニット８が切換え調整体４１と反力調整体４２の摩擦抵抗による傾動反力を受ける。
【００１５】
弾性アーム７３は弾性変形可能なリング状に形成する。反力調整体４２は、せん断刃ユニット８の傾動中心を円弧中心とする円弧面で形成する。
【００１６】
固定ロック体２８は、ユニットフレーム１２の複数個所に形成する。可動ロック体２７の固定ロック体２８に対する係合位置を異ならせて、せん断刃ユニット８を異なる傾動角度でロック保持する。
【００１７】
ロック構造は、図１３に示すように、本体ケース１でスライド自在に支持した可動ロック体２７と、せん断刃ユニット８に設けた固定ロック体２８と、可動ロック体２７をスライド操作する操作具２９を備えている。反力調整構造は、可動ロック体２７に同行して上下スライドする切換え調整体４１と、せん断刃ユニット８に設けた反力調整体４２を備えている。切換え調整体４１は弾性変形可能な軸体で形成され、反力調整体４２は調整溝で形成する。可動ロック体２７および切換え調整体４１は操作具２９・４３で操作されて、切換え調整体４１が反力調整体４２と係合する反力付与状態と、可動ロック体２７が固定ロック体２８と係合するロック状態に切換え可能である。反力付与状態においては、傾動するせん断刃ユニット８が切換え調整体４１の弾性変形に伴う傾動反力を受ける。
【００１８】
ロック構造は、本体ケース１で上下スライド自在に支持した可動ロック体２７と、せん断刃ユニット８に設けた固定ロック体２８と、本体ケース１で左右スライド自在に支持した操作具２９と、操作具２９の左右スライド動作を上下動作に変換して可動ロック体２７に伝えるカム構造を備えている。切換え調整体４１は、せん断刃ユニット８の傾動に追随して弾性変形する弾性軸８６と、弾性軸８６の上端に設けられて反力調整体４２の溝壁と係合する受動軸部８７とを備えている。カム構造は、本体ケース１で上下スライド自在に案内支持した受動カム体８０と、受動カム体８０を押下げ付勢するリターンばね８１と、受動カム体８０に設けた複数のカム面８３と、操作具２９に設けられてリターンばね８１の付勢力に抗しながらカム面８３を介して受動カム体８０を押上げ操作するカムローラー７９を備えている。
【００１９】
ロック構造は、図１９に示すように、切換え調整体４１を兼ねてせん断刃ユニット８の側に設けられる可動ロック体２７と、本体ケース１の側に設けられる固定ロック体２８と、可動ロック体２７をロック状態とアンロック状態に切換える操作具２９を備えている。反力調整構造は、切換え調整体４１と、本体ケース１でスライド自在に案内支持した反力調整体４２と、反力調整体４２を中立位置へ向かって移動付勢する復帰ばね４６・４７を備えている。可動ロック体２７および切換え調整体４１は操作具２９でスライド操作されて、切換え調整体４１が反力調整体４２と係合する反力付与状態と、可動ロック体２７が固定ロック体２８と係合するロック状態に切換え可能である。反力付与状態において、傾動するせん断刃ユニット８が復帰ばね４６・４７を弾性変形させて、復帰ばね４６・４７から傾動反力を受ける。
【００２０】
反力調整構造の反力調整体４２は、それぞれせん断刃ユニット８でスライド自在に案内支持した上側の前段スライダー４４と下側の後段スライダー４５で構成する。両スライダー４４・４５のそれぞれは復帰ばね４６・４７で中立位置へ向かって移動付勢する。前段スライダー４４と後段スライダー４５には、切換え調整体４１と係合する連結穴５３・５４が上下貫通状に形成してある。切換え調整体４１は、切換え調整体４１が前段スライダー４４の連結穴５３と係合する低反力状態と、切換え調整体４１が前段スライダー４４および後段スライダー４５の両連結穴５３・５４と係合する高反力状態とに切換え可能である。ロック状態において、可動ロック体２７が固定ロック体２８と係合する。
【発明の効果】
【００２１】
本発明の電気かみそりにおいては、本体ケース１とせん断刃ユニット８との間に、せん断刃ユニット８を傾動不能にロックするロック構造と、せん断刃ユニット８が傾動するときの傾動反力を調整する反力調整構造を設けた。また、反力調整構造は、本体ケース１とせん断刃ユニット８のいずれか一方に設けられる切換え調整体４１と、他方に設けられる反力調整体４２と、切換え調整体４１を切換え操作する操作具４３を備える構成とした。こうした反力調整構造によれば、切換え調整体４１を操作具４３で切換え操作した状態において、両調整体４１・４２が互いに係合ないし摩擦接合して傾動反力を発生することができる。従って、電気かみそりを使用する際には、操作具４３で切換え調整体４１を切換え操作することにより、せん断刃ユニット８の傾動反力をユーザーの好みに合わせて調整して剃り心地を変更することができ、従来の電気かみそりに比べて使い勝手を向上できる。また、せん断刃ユニット８をロック構造でロック保持した状態においては、切換え調整体４１と反力調整体４２が係合ないし摩擦接合して、せん断刃ユニット８をロック構造と協同して位置保持するので、せん断刃ユニット８のロック状態を安定して保持し続けることができる。これにより、ユーザーの意図に反してせん断刃ユニット８がロック解除されるのを解消できる。さらに、互いに係合ないし摩擦接合する切換え調整体４１と反力調整体４２、および操作具４３などで反力調整構造を構成するので、従来の調整構造に比べて、反力調整構造の構造を簡素化して電気かみそりのコストを削減できる。
【００２２】
反力調整体４２の中心軸線Ｐ２は、切換え調整体４１の中心軸線Ｐ１および切換え調整体４１のスライド移動ラインＬ１に対して前後にずらすようにした。こうした電気かみそりによれば、操作具４３を操作して切換え調整体４１を待機状態から反力付与状態に切換える際に、切換え調整体４１が反力調整体４２と係合するのと同時に、せん断刃ユニット８を先の前後ずれを解消する側へ傾動させることができる。従って、ユーザーは、せん断刃ユニット８が傾動するのを目視することにより、せん断刃ユニット８に傾動反力が作用している状態であることを明確に知ることができる。
【００２３】
可動ロック体２７と、切換え調整体４１の中心軸線Ｐ１上に設けられる固定ロック体２８と、可動ロック体２７を切換える操作具２９などでロック構造を構成し、せん断刃ユニット８に傾動反力が作用している反力付与状態において、可動ロック体２７を固定ロック体２８に傾動反力に抗しながら係合させるようにした。こうしたロック構造によれば、可動ロック体２７が固定ロック体２８と係合するのと同時に、せん断刃ユニット８を傾動反力に抗しながら切換え調整体４１の中心軸線Ｐ１の側へ傾動させることができる。従って、ユーザーは、せん断刃ユニット８が中心軸線Ｐ１側へ傾動するのを目視することにより、せん断刃ユニット８が前後傾動不能にロックされた状態であることを明確に知ることができる。また、図１に示すように、反力調整体４２が復帰ばね４６・４７で移動付勢してある反力調整構造の場合には、可動ロック体２７が固定ロック体２８と係合した状態において、復帰ばね４６・４７のばね力で可動ロック体２７を位置保持するので、せん断刃ユニット８のロック状態を安定して保持し続けることができる。
【００２４】
本体ケース１に切換え調整体４１を兼ねる可動ロック体２７を設け、せん断刃ユニット８に固定ロック体２８を設ける電気かみそりによれば、可動ロック体２７を操作具２９でスライド操作することにより、切換え調整体４１を反力調整体４２と係合させて反力付与状態に切換えることができる。また、切換え調整体４１が反力付与状態に切換わった後に、可動ロック体２７を固定ロック体２８と係合させてロック状態に切換えることができる。このように、可動ロック体２７が切換え調整体４１を兼ね、操作具２９が切換え調整体４１の操作具４３を兼ねるようにすると、反力調整構造の構造を簡素化して電気かみそりの製造コストを削減できる。また、ロック状態においては、可動ロック体２７が固定ロック体２８と係合し、さらに、切換え調整体４１と反力調整体４２が係合して、せん断刃ユニット８をロック構造と協同して位置保持するので、せん断刃ユニット８のロック状態を安定して保持し続けることができる。
【００２５】
反力調整体４２が、前後スライド自在な前段スライダー４４および後段スライダー４５で構成してある反力調整構造によれば、切換え調整体４１を前段スライダー４４と係合させ、あるいは両スライダー４４・４５と係合させることにより、低反力状態と高反力状態に切換えることができる。また、高反力状態を越えて可動ロック体２７をスライド操作することにより、可動ロック体２７を固定ロック体２８と係合させて、せん断刃ユニット８を傾動不能にロック保持できる。こうした電気かみそりによれば、前段スライダー４４および後段スライダー４５の復帰ばね４６・４７のばね力を調整することで、低反力状態における反力と、高反力状態における反力を自由に設定することができる。従って、ユーザーの好みに応じてきめ細やかな傾動反力を発揮できる、使い勝手に優れた電気かみそりが得られる。
【００２６】
切換え調整体４１の弾性アーム７３と反力調整体４２が摩擦接合して傾動反力を発揮する反力調整構造によれば、せん断刃ユニット８が傾動しているか否かにかかわらず、単に操作具４３を操作するだけで弾性アーム７３を反力調整体４２に密着させて、せん断刃ユニット８に傾動反力を付与し、あるいは傾動反力を増減できる。従って、切断すべきひげの部位に応じてせん断刃ユニット８の傾動反力を大小に切換えながら、ひげ切断を円滑に行える。また、操作具４３を操作することにより、反力調整構造を待機状態と、低反力状態と、高反力状態に切換えて、せん断刃ユニット８の剃り心地を調整できるので、電気かみそりの使い勝手を向上できる。さらに、切換え調整体４１が高反力状態に切換えられたのちには、可動ロック体２７を固定ロック体２８に係合させて、せん断刃ユニット８を傾動不能にロック保持できる。
【００２７】
弾性アーム７３を弾性変形可能なリング状に形成し、反力調整体４２を円弧面で形成する反力調整構造によれば、せん断刃ユニット８が一方へ傾動するときの傾動反力と、他方へ傾動するときの傾動反力を均等化できる。従って、せん断刃ユニット８を肌面に沿って往復動しながらひげ切断を行うとき、往動時と復動時とでせん断刃ユニット８と肌面の間の摩擦力がばらつくのを解消して、ひげの切断を効果的に行うことができる。
【００２８】
固定ロック体２８がユニットフレーム１２の複数個所に形成してあると、可動ロック体２７の固定ロック体２８に対する係合位置を異ならせることにより、せん断刃ユニット８を異なる傾動角度でロック保持して、ひげ切断を行うことができる。例えば、ひげ切断を行う部位の違いに応じて、ユーザーの好みでせん断刃ユニット８の姿勢を変えて、楽にひげ切断を行うことができる。
【００２９】
切換え調整体４１を弾性変形可能な軸体で形成し、反力調整体４２を上下に長い調整溝で形成する反力調整構造によれば、せん断刃ユニット８が傾動するとき、切換え調整体４１が弾性変形することでせん断刃ユニット８に傾動反力を作用させることができる。また、切換え調整体４１を操作具４３で切換え操作して、切換え調整体４１と反力調整体４２の係合深さを変更することにより、反力調整構造を低反力状態と高反力状態に切換えることができる。さらに、高反力状態を越えて操作具４３をスライド操作することにより、可動ロック体２７を固定ロック体２８に係合させて、せん断刃ユニット８を傾動不能にロック保持できる。こうした電気かみそりによれば、反力調整構造およびロック構造の構造を簡素化して、電気かみそりの製造コストを削減できる。低反力状態および高反力状態においては、切換え調整体４１と反力調整体４２が互いに係合しているので、切換え調整体４１の切換え操作を円滑に行って傾動反力を増減できる。
【００３０】
弾性軸８６と受動軸部８７で切換え調整体４１を構成すると、せん断刃ユニット８が傾動するとき、弾性軸８６の弾性変形が、反力調整体４２の溝壁と係合する受動軸部８７を介してせん断刃ユニット８に伝えられる。この状態では、受動軸部８７のみが反力調整体４２の溝壁と係合しているので、弾性軸８６に無理な傾動力が作用するのを防止できる。上下スライド自在な受動カム体８０と、リターンばね８１と、受動カム体８０に設けた複数のカム面８３と、操作具２９に設けたカムローラー７９などでカム構造を構成すると、操作具２９（４３）のスライド操作により受動カム体８０を上下させて、反力調整構造を低反力状態と高反力状態に切換えることができる。さらに、高反力状態を越えて操作具２９（４３）をスライド操作することにより、可動ロック体２７を固定ロック体２８に係合させて、せん断刃ユニット８を傾動不能にロック保持できる。こうした電気かみそりによれば、反力調整構造を待機状態と、低反力状態と、高反力状態に切換えて、せん断刃ユニット８の剃り心地を調整できるので、電気かみそりの使い勝手を向上できる。さらに、切換え調整体４１が高反力状態に切換えられたのちには、可動ロック体２７を固定ロック体２８に係合させて、せん断刃ユニット８を傾動不能にロック保持できる。せん断刃ユニット８をロック保持した状態においては、切換え調整体４１と反力調整体４２が係合して、せん断刃ユニット８をロック構造と協同して位置保持するので、せん断刃ユニット８のロック状態を安定して保持し続けることができる。
【００３１】
せん断刃ユニット８の側に切換え調整体４１を兼ねる可動ロック体２７を設け、本体ケース１の側に固定ロック体２８および反力調整体４２を設けると、左右スライドする反力調整体４２と復帰ばね４６・４７を本体ケース１に収容できるので、せん断刃ユニット８の構造が複雑になるのを防止できる。反力付与状態においては、傾動するせん断刃ユニット８が復帰ばね４６・４７を弾性変形させて、復帰ばね４６・４７から傾動反力を受けるので、ひげ切断時のせん断刃ユニット８の傾動動作や中立位置への復帰動作を、応答よく円滑に行える。可動ロック体２７が切換え調整体４１を兼ね、操作具２９が切換え調整体４１の操作具４３を兼ねるので、反力調整構造の構造を簡素化して電気かみそりの製造コストを削減できる。また、ロック状態においては、可動ロック体２７が固定ロック体２８と係合し、さらに、切換え調整体４１と反力調整体４２が係合して、せん断刃ユニット８をロック構造と協同して位置保持するので、せん断刃ユニット８のロック状態を安定して保持し続けることができる。
【００３２】
反力調整体４２が、前後スライド自在な前段スライダー４４および後段スライダー４５で構成してある反力調整構造によれば、切換え調整体４１を前段スライダー４４と係合させ、あるいは両スライダー４４・４５と係合させることにより、低反力状態と高反力状態に切換えることができる。また、高反力状態を越えて可動ロック体２７をスライド操作することにより、可動ロック体２７を固定ロック体２８と係合させて、せん断刃ユニット８を傾動不能にロック保持できる。こうした電気かみそりによれば、前段スライダー４４および後段スライダー４５の復帰ばね４６・４７のばね力を調整することで、低反力状態における反力と、高反力状態における反力を自由に設定することができる。従って、ユーザーの好みに応じてきめ細やかな傾動反力を発揮できる、使い勝手に優れた電気かみそりが得られる。
【図面の簡単な説明】
【００３３】
【図１】本発明の実施例１に係る電気かみそりの縦断側面図である。
【図２】実施例１に係る電気かみそりの正面図である。
【図３】実施例１に係る電気かみそりの縦断正面図である。
【図４】図３の要部を拡大した縦断正面図である。
【図５】図３におけるＡ−Ａ線断面図である。
【図６】実施例１に係る反力調整構造を低反力状態に切換えた縦断側面図である。
【図７】実施例１に係る反力調整構造を高反力状態に切換えた縦断側面図である。
【図８】本発明の実施例２に係る電気かみそりの一部破断側面図である。
【図９】実施例２に係る電気かみそりの正面図である。
【図１０】実施例２に係る反力調整構造を低反力状態に切換えた、図９におけるＢ−Ｂ線断面図である。
【図１１】実施例２に係る反力調整構造を高反力状態に切換えた、図１０と同等位置の縦断側面図である。
【図１２】図１１におけるＣ−Ｃ線断面図である。
【図１３】本発明の実施例３に係る電気かみそりの一部破断側面図である。
【図１４】実施例３に係る電気かみそりの正面図である。
【図１５】実施例３に係る反力調整構造を低反力状態に切換えた縦断側面図である。
【図１６】実施例３に係る反力調整構造を高反力状態に切換えた縦断側面図である。
【図１７】実施例３に係るロック構造をロック状態に切換えた縦断側面図である。
【図１８】実施例３のロック構造を変更した別実施例を示す縦断側面図である。
【図１９】本発明の実施例４に係る電気かみそりの正面図である。
【図２０】実施例４に係る反力調整構造を低反力状態に切換えた縦断正面図である。
【図２１】実施例４に係るロック構造をロック状態に切換えた縦断正面図である。
【発明を実施するための形態】
【００３４】
（実施例１）  図１ないし図７は、本発明に係る電気かみそりの実施例１を示す。なお、本発明における前後、左右、および上下とは、図２に示す交差矢印、および方向を示す文字表示に従うものとする。図２および図３において電気かみそりは、グリップを兼ねる本体ケース１と、本体ケース１の上部に設けたかみそりヘッド２を備えていて、往復動型の電気かみそりとして構成してある。本体ケース１の内部にはモーター３および２次電池４などが配置してあり、ケース前面には、モーター３を起動しあるいは停止させるスイッチボタン５が設けてある。かみそりヘッド２には内刃６および外刃７を備えたせん断刃ユニット８が設けてあり、せん断刃ユニット８は、本体ケース１の上部に設けた左右一対のユニット支持体９で前後傾動可能に支持してある。
【００３５】
せん断刃ユニット８は、ユニットフレーム１２と、内刃６を支持する内刃ホルダー１３と、外刃７を支持する外刃ホルダー１４と、ユニットフレーム１２の内部に収容される振動子１５などで構成してある。ユニットフレーム１２は左右一対の側枠１６と、中央枠１７とで逆門型に構成してあり、側枠１６の上部の外側面に設けた傾動軸１８をユニット支持体９で軸支することにより、せん断刃ユニット８の全体が傾動軸１８を中心にして前後傾動できる。ユニットフレーム１２の下面と、ユニット支持体９の間の本体ケース１の上面は、それぞれ傾動軸１８の中心（傾動中心）を円弧中心とする円弧面で形成されて、僅かな隙間を介して上下に対向している。
【００３６】
振動子１５は中央枠１７の内部に収容されており、その上面側には往復動力を内刃ホルダー１３へ出力する駆動軸２０が設けてあり、その下面側にはモーター３の出力軸に固定した偏心カム２１で左右に往復駆動されるカム溝２２が設けてある。振動子１５を収容する中央枠１７の上面はカバー２３で覆われており、カバー２３と駆動軸２０との間の隙間はゴム製のパッキン２４でシールしてある。
【００３７】
前後傾動するせん断刃ユニット８を前後傾動不能にロック保持するために、本体ケースト１とユニットフレーム１２との間にロック構造を設けている。さらに、せん断刃ユニット８に適度の傾動反力を与えて、ユーザーの好みでせん断刃ユニット８の剃り心地を変更するために、本体ケース１とユニットフレーム１２との間に、傾動反力を低反力と高反力に調整する反力調整構造を設けている。
【００３８】
図１および図４に示すように、ロック構造は、本体ケース１の上部一側に配置した直線棒状の可動ロック体２７と、可動ロック体２７に対応してユニットフレーム１２の一側に配置した固定ロック体２８と、可動ロック体２７をロック状態とアンロック状態に切換え操作する操作具２９、および節度構造などで構成する。固定ロック体２８は、後述するスライド区画４８の天井壁の内面に凹み形成してある。可動ロック体２７および節度構造を上下スライドするために、本体ケース１の一側内部にガイド区画３０を設け、その前後壁および左右壁で可動ロック体２７および節度構造を案内支持している。ガイド区画３０の天井壁には、可動ロック体２７を案内支持する出入口３１が開口され、ガイド区画３０の外側壁には、操作具２９をケース外に露出させるためのノブ溝３２が開口してある。ユニット支持体９の下部には操作凹部３３が凹み形成してあり、この凹部３３内に操作具２９を収容して、操作具２９が本体ケース１の外郭線の外へ突出するのを防止している。
【００３９】
節度構造は図１に示すように、可動ロック体２７の下端に連続する四角形状の節度ベース３５と、節度ベース３５の前後に設けた弾性変形可能な節度アーム３６と、節度アーム３６の上下中途部に突設した節度突起３７と、ガイド区画３０の左右壁の対向面に凹み形成した上下４対の節度凹部３８で構成する。可動ロック体２７と操作具２９、および節度構造は、一体に成形されたプラスチック成型品からなり、節度ベース３５の外側面の中央にノブ状の操作具２９が突設してある。
【００４０】
反力調整構造は、切換え調整体４１と、切換え調整体４１に対応してユニットフレーム１２の下部一側に配置した反力調整体４２と、切換え調整体４１を切換え操作する操作具４３などで構成する。この実施例では、先に説明した可動ロック体２７が切換え調整体４１を兼ねており、さらに、ロック構造の操作具２９が反力調整構造の操作具４３を兼ねている。以下の説明においては、可動ロック体２７と切換え調整体４１を必要に応じて使い分けながら説明する。反力調整体４２は、ユニットフレーム１２内に配置した下側の前段スライダー４４と上側の後段スライダー４５と、これら両スライダー４４・４５の前後に配置した、一対ずつの圧縮コイル型の復帰ばね４６・４７を備えている。これらの復帰ばね４６・４７が、せん断刃ユニット８を中立位置へ向かって移動付勢する復帰ばねとして機能する。両スライダー４４・４５と復帰ばね４６・４７を収容するために、側枠１６と中央枠１７の接合面の間にスライド区画４８を設け、その内部の上下に前段スライダー４４用のガイド溝４９と、後段スライダー４５用のガイド溝５０を、それぞれ円弧溝状に形成している。
【００４１】
前段スライダー４４と後段スライダー４５は、上下面が部分円弧状に形成されたプラスチックブロックからなり、そのブロック中央に切換え調整体４１と係合する連結穴５３・５４が上下貫通状に形成してある。各連結穴５３・５４の下開口には、切換え調整体４１の各連結穴５３・５４との進入係合を容易化するガイド面５５・５６が斜めに形成してある。先に説明した固定ロック体２８の下開口にも同様のガイド面５７が形成してある。
【００４２】
反力調整構造は操作具４３（２９）を上下スライド操作することにより、待機状態と、低反力状態と、高反力状態に切換えることができる。図５に示すのが待機状態であり、このときの切換え調整体４１の上端は出入口３１の内部に位置しているので、せん断刃ユニット８は傾動軸１８を中心にして自由に前後傾動でき、前後傾動時にせん断刃ユニット８に傾動反力が作用することはない。低反力状態においては、図６に示すように、切換え調整体４１の上部が前段スライダー４４の連結穴５３と係合している。そのため、せん断刃ユニット８が前後傾動する場合には、前後の復帰ばね４６のいずれか一方が圧縮変形されるので、せん断刃ユニット８には復帰ばね４６の弾性変形量に見合う傾動反力が作用する。高反力状態においては、図７に示すように、切換え調整体４１が前段スライダー４４と後段スライダー４５の連結穴５３・５４と係合する。そのため、せん断刃ユニット８が前後傾動する場合には、上下一対の復帰ばね４６・４７が圧縮変形されるので、せん断刃ユニット８には復帰ばね４６・４７の弾性変形量に見合う、より大きな傾動反力が作用する。なお、低反力状態と高反力状態においては、せん断刃ユニット８の傾動角度が大きくなるのに比例して傾動反力が増加する。傾動角度が大きくなるほど、上下の復帰ばね４６・４７が大きく圧縮変形されるからである。
【００４３】
ロック構造は、図１に示すように、操作具２９（４３）を待機状態から高反力状態を越えて最上段位置まで上方スライド操作し、可動ロック体２７の上部を固定ロック体２８と係合させることによりロック状態に切換えることができる。ロック状態の可動ロック体２７の上下は、固定ロック体２８および出入口３１で係合保持されており、さらに可動ロック体２７の上下中途部が前段スライダー４４と後段スライダー４５によって係合保持されている。つまり、せん断刃ユニット８がロック保持された状態においては、切換え調整体４１と反力調整体４２が係合して、せん断刃ユニット８をロック構造と協同して位置保持している。従って、外力が作用したとしてもせん断刃ユニット８が前後方向あるいは左右方向へ傾動することはなく、ロック状態を安定して保持し続けることができる。待機状態と、低反力状態と、高反力状態と、ロック状態においては、それぞれ節度構造の節度突起３７が節度凹部３８に落込み係合して、可動ロック体２７および切換え調整体４１の上下移動を規制している。
【００４４】
先に説明したように、せん断刃ユニット８は復帰ばね４６・４７で中立位置へ向かって移動付勢されている。そのため、傾動外力が開放されるのと同時に、せん断刃ユニット８は中立位置へ復帰揺動して、前後の復帰ばね４６・４７の弾性力が釣り合う。この中立状態においては、図５に示すように前段スライダー４４および後段スライダー４５の中心軸線、すなわち反力調整体４２の中心軸線Ｐ２は、せん断刃ユニット８の中心軸線上に位置している。
【００４５】
切換え調整体４１が反力調整体４２と係合したことをユーザーに明確に知らせ、さらに可動ロック体２７が固定ロック体２８と係合したことをユーザーに明確に知らせるために、切換え調整体４１の中心軸線Ｐ１と反力調整体４２の中心軸線Ｐ２を前後にずらしている。切換え調整体４１の中心軸線Ｐ１は、切換え調整体４１の移動ラインＬ１であって、切換え調整体４１の中心は移動ラインＬ１に沿って上下スライドする。
【００４６】
具体的には図５に示すように、両スライダー４４・４５用のガイド溝４９・５０の前後中心位置を、切換え調整体４１の中心軸線Ｐ１より前側へ位置ずれさせて、中立状態において両スライダー４４・４５の連結穴５３・５４の中心を通る中心軸線Ｐ２が、中心軸線Ｐ１より前側で傾斜するようにした。このように、切換え調整体４１の中心軸線Ｐ１と反力調整体４２の中心軸線Ｐ２が前後にずらしてあると、切換え調整体４１が連結穴５３・５４と係合した状態において、各スライダー４４・４５が切換え調整体４１の側へ引寄せられるので、後側の復帰ばね４６・４７を圧縮変形させて両連結穴５３・５４を切換え調整体４１に密着させることができる。また、各スライダー４４・４５が切換え調整体４１の側（後側）へ引寄せられるのに伴って、せん断刃ユニット８は前後ずれが解消される側へ傾動する。従って、ユーザーは、せん断刃ユニット８が後へ傾動するのを目視することにより、せん断刃ユニット８に傾動反力が作用している状態であることを明確に知ることができる。
【００４７】
可動ロック体２７が反力付与状態から切換えられて固定ロック体２８と係合する際にも、せん断刃ユニット８を傾動させることができる。反力調整構造が高反力状態にあるときは、図７に示すように、せん断刃ユニット８の前後中心（中心軸線Ｐ２）は、切換え調整体４１の中心軸線Ｐ１より後側に位置している。この状態から可動ロック体２７を上昇させると、その上端前隅が固定ロック体２８のガイド面５７に接当する。このとき、ユニットフレーム１２は復帰ばね４６・４７のばね力に抗しながら前向きに傾動し、最終的に可動ロック体２７の上部が固定ロック体２８と係合する。従って、ユーザーは、せん断刃ユニット８が前へ傾動するのを目視することにより、せん断刃ユニット８がロック状態に切換ったことを明確に知ることができる。
【００４８】
以上のように構成した電気かみそりによれば、操作具２９（４３）をスライド操作することにより、反力調整構造を待機状態と、低反力状態と、高反力状態に切換えることができる。従って、ひげ剃時には、ユーザーの好みで傾動反力が作用しない状態と、せん断刃ユニット８の傾動反力がソフトなタッチになる低反力状態と、ハードなタッチになる高反力状態に切換えて、せん断刃ユニット８の剃り心地を調整できるので、電気かみそりの使い勝手を向上できる。
【００４９】
高反力状態を越えて操作具２９（４３）を最上段位置まで上方スライド操作して、可動ロック体２７を固定ロック体２８に係合させると、ロック構造をロック状態に切換えて、せん断刃ユニット８を前後傾動不能にロック保持できる。このロック状態における可動ロック体２７の上下は、固定ロック体２８および出入口３１で係合保持されており、さらに可動ロック体２７の上下中途部が前段スライダー４４と後段スライダー４５によって係合保持されている。従って、外力が作用したとしてもせん断刃ユニット８が前後方向あるいは左右方向へ傾動することはなく、ロック状態を安定して保持し続けることができる。さらに、上記の実施例では、可動ロック体２７が切換え調整体４１を兼ね、ロック構造の操作具２９が反力調整構造の操作具４３を兼ねるようにするので、反力調整構造の構造を簡素化してコストを削減できる利点もある。
【００５０】
（実施例２）  図８ないし図１２は、本発明に係る電気かみそりの実施例２を示す。実施例２に係る電気かみそりは、ロータリ型の電気かみそりとして構成してある点が実施例１の電気かみそりと異なり、さらにせん断刃ユニット８のロック構造、および反力調整構造
が実施例１の電気かみそりと異なっている。
【００５１】
図９に示すように、せん断刃ユニット８には横軸回りに回転駆動される内刃６が配置してあり、ユニットフレーム１２の内部には、横置き配置したモーター３と、モーター３の回転動力を内刃６に伝動するギヤトレイン６０が配置してある。内刃６の回転軸はユニットフレーム１２の側枠１６で回転自在に軸支してあり、２次電池４は本体ケース１の内部に配置してある。せん断刃ユニット８は、実施例１と同様に、本体ケース１の上部に設けた左右一対のユニット支持体９で前後傾動可能に支持してある。前後傾動可能なせん断刃ユニット８を中立位置へ復帰付勢するために、図８に示すように、ユニットフレーム１２の側にばね受片５８を設け、このばね受片５８とユニット支持体９の前後壁の間に復帰ばね４６を配置している。符号５９は、ユニット支持体９に開口したばね受片５８用の逃げ開口である。
【００５２】
図８ないし図１２の各図において、ロック構造は、本体ケース１の内部に設けた可動ロック体２７と、ユニットフレーム１２に設けた固定ロック体２８と、本体ケース１で回動自在に支持した操作具２９と、操作具２９の回動動作を往復動作に変換して可動ロック体２７に伝えるリンク体６１と、操作具２９用の節度構造などで構成してある。可動ロック体２７は上端が丸められた縦長の棒状体からなり、後述する切換え調整体４１と共に本体ケース１に設けた前後一対のガイド枠６２で上下スライド自在に支持してある。図１０に示すように、固定ロック体２８は、ユニットフレーム１２の下面に形成した７個の円弧凹部からなり、せん断刃ユニット８を前後傾動させて、可動ロック体２７と固定ロック体２８の係合位置を異ならせることにより、せん断刃ユニット８を異なる傾動角度でロック保持できるようにしてある。
【００５３】
操作具２９は、本体ケース１の一側外面に露出する操作ダイヤル６４と、操作ダイヤル６４と一体のダイヤル軸６５を備えていて、反力調整構造用の操作具４３を兼ねている。ダイヤル軸６５の内端には連結ピン６６が設けてあり、このピン６６をリンク体６１の下部に連結し、さらにリンク体６１の上部を連結ピンを介して可動ロック体２７と連結することにより、操作ダイヤル６４の回転動作をリンク体６１で上下動作に変換して、可動ロック体２７に伝えるようにしている。操作ダイヤル６４を、図１０に示す待機状態から一定角度（３０度）ずつ時計回転方向へ回動操作するごとに、操作ダイヤル６４を停止保持するために節度構造を設けている。さらに、操作ダイヤル６４の外面に、回転度合を表示する指標６７を設けている。
【００５４】
節度構造は、ダイヤル軸６５の周面下部に配置した板ばね製の節度アーム６９と、ダイヤル軸６５の周面に凹み形成した節度凹部７０を備えており、節度アーム６９の先端に、節度凹部７０に落込み係合する節度突起７１が一体に設けてある。この実施例では、４個の節度凹部７０をダイヤル軸６５の周面に形成して、操作ダイヤル６４が一定角度だけ回転するごとに節度突起７１が節度凹部７０と係合して、操作ダイヤル６４を自由回転不能に位置保持できるようにした。
【００５５】
反力調整構造は、本体ケース１のガイド枠６２で上下スライド自在に支持した切換え調整体４１と、ユニットフレーム１２の下面に設けた反力調整体４２とを備えている。先に説明した可動ロック体２７は、切換え調整体４１と一体に形成してある。また、切換え調整体４１の上面には、反力調整体４２と摩擦接合して傾動反力を発生する弾性アーム７３が一体に設けてある。弾性アーム７３は、切換え調整体４１と一体に形成した弾性変形可能なリングからなり、図１０に示す待機状態において、弾性アーム７３の上面が反力調整体４２に弱い力で外接している。反力調整体４２は、せん断刃ユニット８の傾動中心を円弧中心とする円弧面で形成してある。上記のように実施例２では、可動ロック体２７と切換え調整体４１を別部材として形成した。
【００５６】
反力調整構造は操作具２９を回動操作することにより、待機状態と、低反力状態と、高反力状態に切換えることができる。図１０に示すのが待機状態であり、このときの切換え調整体４１の弾性アーム７３は、下突湾曲状の反力調整体４２に弱い力で外接して、せん断刃ユニット８を中立位置に位置保持している。しかし、せん断刃ユニット８に弾性アーム７３の弾性変形力を越える外力が作用した場合には、せん断刃ユニット８は前後いずれかへ傾動できる。待機状態から、操作ダイヤル６４を３０度回動すると、切換え調整体４１が可動ロック体２７と共に押上げ操作されるので、弾性アーム７３は扁平な楕円形状に弾性変形して低反力状態に切換わり、弾性アーム７３の弾性変形量に見合う傾動反力がせん断刃ユニット８に作用する。
【００５７】
低反力状態から操作ダイヤル６４をさらに３０度回動すると、反力調整構造は高反力状態に切換る。高反力状態においては、切換え調整体４１が可動ロック体２７と共にさらに押上げ操作されて、弾性アーム７３がさらに扁平な楕円形状に弾性変形するため、低反力状態より大きな傾動反力がせん断刃ユニット８に作用する。なお、低反力状態と高反力状態においては、操作ダイヤル６４に対して弾性アーム７３の弾性変形に伴う反時計回転方向の回転モーメントが作用するが、節度アーム６８は先の回転モーメントに抗して節度凹部７０と節度突起７１の係合状態を保持し続けるので、操作ダイヤル６４が回動することはない。また、低反力状態と高反力状態においては、せん断刃ユニット８の傾動角度が大きくなるのに比例して、復帰ばね４６の圧縮変形が大きくなるので、せん断刃ユニット８に作用する傾動反力は傾動度合に比例して増加する。
【００５８】
ロック構造は、図１１に示すように、操作ダイヤル６４を待機状態から高反力状態を越えて回動限界位置まで回動操作し、可動ロック体２７の上部を固定ロック体２８と係合させることによりロック状態に切換えることができる。このときの弾性アーム７３は、高反力状態の弾性アーム７３よりさらに扁平に弾性変形するが、高反力状態とロック状態との間の切換え調整体４１の上下移動量は小さいので、弾性アーム７３の弾性変形度合はごく僅かでしかない。固定ロック体２８を７個設けているので、せん断刃ユニット８を中立位置において傾動不能にロック保持できるのはもちろん、中立位置の前方３個所、および後方３個所のそれぞれの傾動位置においてせん断刃ユニット８を傾動不能にロック保持でき、この点でも電気かみそりの使い勝手を向上できる。なお、操作ダイヤル６４は、待機状態とロック状態において、図示していないストッパーで回動規制してあるので、操作ダイヤル６４が前記各状態を越えて回動操作されることはない。
【００５９】
以上のように実施例２においては、操作具２９を回動操作することにより、反力調整構造を待機状態と、低反力状態と、高反力状態に切換えて、せん断刃ユニット８の剃り心地を調整できるので、実施例１と同様に電気かみそりの使い勝手を向上できる。また、切換え調整体４１が反力調整体４２と摩擦接合して反力付与状態を維持するので、せん断刃ユニット８が前後傾動している状態であっても、操作ダイヤル６４を回動操作して傾動反力を増加でき、従って、切断すべきひげの部位に応じてせん断刃ユニット８の傾動反力を大小に切換えてひげ切断を行える。他の構造は実施例１と同じであるので、同じ部材に同じ符号を付してその説明を省略する。以下の実施例においても同じとする。
【００６０】
（実施例３）  図１３ないし図１７は、本発明に係る電気かみそりの実施例３を示す。実施例３に係る電気かみそりは、実施例１と同様に往復動型の電気かみそりとして構成してあり、せん断刃ユニット８のロック構造、および反力調整構造が、実施例１、２の電気かみそりと異なっている。
【００６１】
この実施例におけるロック構造は、受動カム体８０の上面前部に設けた可動ロック体２７と、可動ロック体２７に対応してユニットフレーム１２の下面に凹み形成した固定ロック体２８と、操作具２９およびカム構造などで構成してある。可動ロック体２７は、後述する受動カム体８０を介して本体ケース１で間接的に上下スライド自在に支持されている。
【００６２】
図１３において操作具２９は、本体ケース１に設けたガイド溝７６で前後スライド自在に案内支持されており、操作具２９の左右スライド動作をカム構造で上下動作に変換したのち、ロック構造および反力調整構造に伝えている。操作具２９は、ガイド溝７６の外に露出するスライドノブ７７と、その内面に設けた丸軸状のローラー軸７８と、ローラー軸７８で回転自在に支持したカムローラー７９を備えており、図１３に示すように、ローラー軸７８がガイド溝７６の前端に位置する待機状態と、ローラー軸７８がガイド溝７６の後端に位置するロック状態との間を前後スライドできる。カム構造は、先のカムローラー７９と、本体ケース１のガイド枠７５で上下スライド自在に案内支持した板状の受動カム体８０と、受動カム体８０を待機位置へ向かって押下げ付勢するリターンばね８１などで構成する。受動カム体８０の下面には、カムローラー７９が落込み係合する４個の係合凹部８２と、前側の係合凹部８２から後ろ側の係合凹部８２へ向かって下り傾斜する３個のカム面８３が形成してある。カム構造は、カムローラー７９が各係合凹部８２と落込み係合することで、節度構造と同等の節度機能を発揮する。
【００６３】
反力調整構造は、受動カム体８０の上面に突設した棒状の切換え調整体４１と、固定ロック体２８の後側に隣接する状態でユニットフレーム１２に形成した、上下に長い調整溝からなる反力調整体４２を備えている。切換え調整体４１は、せん断刃ユニット８の前後傾動に追随して弾性変形する縦長の弾性軸８６と、弾性軸８６の上端に設けられて反力調整体４２の溝壁と係合する球状の受動軸部８７とを備えている。
【００６４】
切換え調整体４１が反力調整体４２と係合したこと、および可動ロック体２７が固定ロック体２８と係合したことをユーザーに明確に知らせるために、切換え調整体４１の中心軸線Ｐ１と反力調整体４２の中心軸線Ｐ２を平行な状態で前後にずらしている。具体的には図１３に示す待機状態において、切換え調整体４１の中心軸線Ｐ１を反力調整体４２の中心軸線Ｐ２より後側に位置させている。この状態における可動ロック体２７と固定ロック体２８は、大きな間隔を間にして上下に正対している。このように実施例３では、可動ロック体２７と切換え調整体４１を別部材として形成した。切換え調整体４１の中心軸線Ｐ１は、切換え調整体４１の移動ラインＬ１であって、切換え調整体４１の中心は移動ラインＬ１に沿って上下スライドする。
【００６５】
スライドノブ７７をスライド操作することにより、反力調整構造を待機状態と、低反力状態と、高反力状態に切換えることができる。さらに、スライドノブ７７を高反力状態からさらにスライド操作することにより、ロック構造をロック状態に切換えることができる。図１３に示すのが待機状態であり、このときの切換え調整体４１の受動軸部８７は出入口３１の内部に位置しているので、せん断刃ユニット８は傾動軸１８を中心にして自由に前後傾動でき、前後傾動時にせん断刃ユニット８に傾動反力が作用することはない。
【００６６】
待機状態からスライドノブ７７を後向きにスライド操作すると、カム面８３がローラー軸７８でリターンばね８１の付勢力に抗して押し上げ操作され、ローラー軸７８が上から２番目の係合凹部８２と係合して、受動カム体８０および切換え調整体４１が低反力状態に切換わる。低反力状態においては、図１５に示すように、切換え調整体４１の受動軸部８７が反力調整体４２の溝下部と係合する。受動軸部８７が反力調整体４２と係合する過程では、せん断刃ユニット８が、傾動軸１８を中心にして反時計回転方向へ僅かに傾動して、先の中心軸線Ｐ１・Ｐ２の前後ずれを吸収する。従って、ユーザーは、せん断刃ユニット８が後へ傾動するのを目視することにより、せん断刃ユニット８に傾動反力が作用している状態であることを明確に知ることができる。低反力状態において、せん断刃ユニット８が前後いずれかへ傾動すると、切換え調整体４１の弾性軸８６が弾性変形して傾動反力を生じ、傾動反力はせん断刃ユニット８の傾動量に比例して増加する。
【００６７】
低反力状態からスライドノブ７７を後向きにスライド操作すると、受動カム体８０がローラー軸７８で押し上げられ、ローラー軸７８が上から３番目の係合凹部８２と係合することにより、受動カム体８０および切換え調整体４１が高反力状態に切換わる。高反力状態においては図１６に示すように、切換え調整体４１の受動軸部８７が、反力調整体４２の上下中途部の溝壁と係合する。そのため、高反力状態の中立位置におけるせん断刃ユニット８は、低反力状態の中立位置より反時計回転方向へさらに傾動する。この係合状態において、せん断刃ユニット８が中立位置から前後いずれかへ傾動すると、切換え調整体４１の弾性軸８６が弾性変形して傾動反力を生じ、傾動反力はせん断刃ユニット８の傾動量に比例して増加する。
【００６８】
高反力状態において、弾性軸８６を弾性変形させるのに必要な傾動力は、低反力状態に比べて大きくなる。高反力状態においては、低反力状態に比べて弾性軸８６が反力調整体４２の溝内へ深く差し込まれており、受動軸部８７と反力調整体４２の溝壁の係合位置が、低反力状態の両者４２・８７の係合位置より上側の高い位置にある。この状態で、せん断刃ユニット８が前後傾動し始めたときの傾動反力は比較的小さい。しかし、せん断刃ユニット８の傾動角度が増加すると、弾性軸８６が湾曲状に変形して反力調整体４２の溝壁に接当する。そのため、弾性軸８６の変形応力は最も大きくなり、最も大きな変形反力を発揮して高反力状態を維持する。
【００６９】
高反力状態からスライドノブ７７を後向きにスライド操作すると、図１７に示すように、受動カム体８０がローラー軸７８で押し上げられ、ローラー軸７８が最下段の係合凹部８２と係合する。これに伴い、切換え調整体４１は高反力状態を越えて上方移動し、可動ロック体２７が固定ロック体２８と係合して、ロック構造がロック状態に切換わる。先に説明したように、係合する前の可動ロック体２７と固定ロック体２８は前後に位置ずれしている。そのため、可動ロック体２７と固定ロック体２８が係合し始めるのに伴って、せん断刃ユニット８は傾動軸１８を中心にして時計回転方向へ引寄せられ、その分だけ弾性軸８６が前向きに弾性変形して、後向きの傾動反力を発揮する。
【００７０】
上記のように、切換え調整体４１と反力調整体４２が係合した状態のままで、可動ロック体２７を固定ロック体２８に係合すると、ユニットフレーム１２は弾性軸８６のばね力に抗して前側へ傾動する。従って、ユーザーは、せん断刃ユニット８が前へ傾動するのを目視することにより、せん断刃ユニット８がロック状態に切換ったことを明確に知ることができる。また、せん断刃ユニット８をロック保持した状態では、弾性軸８６の弾性変形がユニットフレーム１２に作用している。その結果、互いに係合する可動ロック体２７と固定ロック体２８、および切換え調整体４１と反力調整体４２を傾動反力で密着させて、ロック状態を安定した状態で維持できる。
【００７１】
以上のように実施例３おいては、操作具２９をスライド操作することにより、反力調整構造を待機状態と、低反力状態と、高反力状態に切換えて、せん断刃ユニット８の剃り心地を調整できるので、実施例１と同様に電気かみそりの使い勝手を向上できる。また、低反力状態および高反力状態においては、切換え調整体４１と反力調整体４２が互いに係合しているので、せん断刃ユニット８が中立位置にある状態で、スライドノブ７７をスライド操作して傾動反力を増減できる。
【００７２】
図１８は、実施例３の一部を変更した別実施例を示す。そこでは、切換え調整体４１の弾性軸８６の基部に可動ロック体２７を一体に設け、ロック状態において、可動ロック体２７を反力調整体４２の溝下部の固定ロック体２８に係合させるようにした。このように、可動ロック体２７を切換え調整体４１と一体に設けると、固定ロック体２８を別途設ける必要がないので、ユニットフレーム１２の構造を簡素化できる。また、切換え調整体４１と反力調整体４２、および可動ロック体２７と固定ロック体２８の係合中心位置が同じ位置になるので、高反力状態からロック状態への切換えを円滑に行える。
【００７３】
（実施例４）  図１９ないし図２１は、本発明に係る電気かみそりの実施例４を示す。実施例４に係る電気かみそりは、実施例２と同様にロータリ型の電気かみそりとして構成してある点と、せん断刃ユニット８が左右傾動可能に支持してある点が実施例１の電気かみそりと異なる。また、実施例４では、切換え調整体４１を兼ねる可動ロック体２７をユニットフレーム１２の側に設け、固定ロック体２８および反力調整体４２を本体ケース１の側に設けるようにした。
【００７４】
せん断刃ユニット８を左右傾動可能に支持するために、本体ケース１の前後面のそれぞれにユニット支持体９を設け、同支持体９に連結した左右一対のリンク９０でユニットフレーム１２の前後面を支持している。実施例２の電気かみそりと同様に、せん断刃ユニット８には横軸回りに回転駆動される内刃６が配置してあり、ユニットフレーム１２の内部には、横置き配置したモーター３と、モーター３の回転動力を内刃６に伝動するギヤトレイン６０が配置してある。
【００７５】
ロック構造は、実施例１で説明したロック構造と実質的に同じであるが、可動ロック体２７および操作具２９をユニットフレーム１２の側に設け、固定ロック体２８を本体ケース１の側に設ける点が異なる。同様に、反力調整構造は実施例１で説明したロック構造と実質的に同じであるが、切換え調整体４１をユニットフレーム１２の側に設け、反力調整体４２を本体ケース１の側に設ける点が異なる。本体ケース１の上面には、切換え調整体４１用の出入口３１が開口してある（図２０参照）。
【００７６】
反力調整体４２は平板状のプラスチック成型品からなり、その板面中央に切換え調整体４１と係合する連結穴５３・５４が上下貫通状に形成してある。反力調整体４２は、上側の前段スライダー４４と、下側の後段スライダー４５からなり、両スライダー４４・４５はそれぞれ復帰ばね４６・４７で中立位置へ向かって移動付勢してある。この実施例における前段スライダー４４および後段スライダー４５は、図１で説明したスライダーとは異なり、それぞれガイド溝４９・５０で左右スライドのみ可能に案内支持してある。図２０に示すように節度構造は、操作具２９の側に設けた節度突起３７と、ノブ溝３２の上下４個所に凹み形成した４個の節度凹部３８で構成してある。
【００７７】
反力調整構造は、操作具４３（２９）を上下スライド操作することにより、待機状態と、低反力状態と、高反力状態に切換えることができる。図１９に示すように、待機状態における切換え調整体４１は反力調整体４２から分離しているので、せん断刃ユニット８は自由に左右傾動できる。待機状態から操作具４３（２９）を押下げ操作すると、図２０に実線で示すように、切換え調整体４１の下部が前段スライダー４４の連結穴５３と係合して低反力状態に切換る。低反力状態においてせん断刃ユニット８が左右傾動すると、左右の復帰ばね４６のいずれか一方が圧縮変形されるので、せん断刃ユニット８には復帰ばね４６の弾性変形量に見合う傾動反力が作用する。
【００７８】
低反力状態から操作具４３（２９）をさらに押下げ操作すると、図２０に想像線で示すように、切換え調整体４１の下部が、前段スライダー４４と後段スライダー４５の連結穴５３・５４と係合して高反力状態に切換る。高反力状態において、せん断刃ユニット８が左右傾動すると、上下一対の復帰ばね４６・４７が両スライダー４４・４５で圧縮変形されるので、せん断刃ユニット８には復帰ばね４６・４７の弾性変形量に見合う、より大きな傾動反力が作用する。高反力状態から操作具４３（２９）をさらに押下げ操作すると、図２１に示すように、切換え調整体４１の下部が固定ロック体２８と係合してロック状態に切換る。
【００７９】
ロック状態の可動ロック体２７の下端は、固定ロック体２８で係合保持されており、さらに可動ロック体２７の上下中途部が前段スライダー４４と後段スライダー４５で係合保持されている。つまり、せん断刃ユニット８がロック保持された状態においては、切換え調整体４１と反力調整体４２が係合して、せん断刃ユニット８をロック構造と協同して位置保持している。従って、外力が作用したとしてもせん断刃ユニット８が左右傾動することはなく、ロック状態を安定して保持し続けることができる。この実施例から理解できるように、切換え調整体４１を兼ねる可動ロック体２７はユニットフレーム１２の側に設けることができ、固定ロック体２８および反力調整体４２は本体ケース１の側に設けることができる。
【００８０】
上記の実施例以外に、本発明はせん断刃ユニット８が全方位方向へ傾動可能に浮動支持してある電気かみそりにも適用できる。また、内刃６の駆動源はリニアモータであってもよい。実施例１の電気かみそりにおいては、切換え調整体４１を待機状態と、低反力状態と、高反力状態と、ロック状態に切換えるようにしたがその必要はない。例えば、切換え調整体４１が前段スライダー４４の連結穴５３と係合している状態を待機状態（低反力状態）として、以後、高反力状態と、ロック状態に切換わるようにしてもよい。また、実施例１の電気かみそりにおいては、前段スライダー４４および後段スライダー４５を係合要素にして反力調整体４２を構成したが、両スライダー４４・４５のいずれか一方は省略することができる。その場合には、操作具２９（４３）を切換え操作することにより、切換え調整体４１を待機状態と、反力付与状態と、ロック状態に切換えることができる。さらに、前段スライダー４４および後段スライダー４５に加えて第３のスライダーを設けて、せん断刃ユニット８に作用する傾動反力を多様化することができる。
【符号の説明】
【００８１】
１  本体ケース
２  かみそりヘッド
６  内刃
７  外刃
８  せん断刃ユニット
９  ユニット支持体
１２  ユニットフレーム
２７  可動ロック体
２８  固定ロック体
２９  操作具
４１  切換え調整体
４２  反力調整体
４３  操作具
４４  前段スライダー
４５  後段スライダー
４６・４７  復帰ばね
５３・５４  連結穴
【図１】
0006395303.tif 000002
【図２】
0006395303.tif 000003
【図３】
0006395303.tif 000004
【図４】
0006395303.tif 000005
【図５】
0006395303.tif 000006
【図６】
0006395303.tif 000007
【図７】
0006395303.tif 000008
【図８】
0006395303.tif 000009
【図９】
0006395303.tif 000010
【図１０】
0006395303.tif 000011
【図１１】
0006395303.tif 000012
【図１２】
0006395303.tif 000013
【図１３】
0006395303.tif 000014
【図１４】
0006395303.tif 000015
【図１５】
0006395303.tif 000016
【図１６】
0006395303.tif 000017
【図１７】
0006395303.tif 000018
【図１８】
0006395303.tif 000019
【図１９】
0006395303.tif 000020
【図２０】
0006395303.tif 000021
【図２１】
0006395303.tif 000022